(57)【要約】【課題】法面に配置された植生基盤材の侵食を効果的に防止できる緑化用法面構造を提供すること。【解決手段】長尺木材１１を格子状に組み立てた木製ネット１と、前記木製ネット１を法面５に固定するアンカーピン２と、前記木製ネット１を覆土する植生基盤材４と、からなり、複数の前記木製ネット１，１を曲折可能に連結して法面５に配置したことを特徴とするものである。ここで、複数配置した前記木製ネット１，１，・・・，１の上面は、網目材３で覆うことができる。【選択図】        図３
2004316352.tif 000002
【特許請求の範囲】
【請求項１】
長尺木材を格子状に組み立てた木製ネットと、
前記木製ネットを法面に固定するアンカーピンと、
前記木製ネットの格子内部に充填する植生基盤材と、からなり、
複数の前記木製ネットを剛結合することなく法面に配置したことを特徴とする、緑化用法面構造。
【請求項２】
長尺木材を格子状に組み立てた木製ネットと、
前記木製ネットを法面に固定するアンカーピンと、
前記木製ネットを覆土する植生基盤材と、からなり、
複数の前記木製ネットを剛結合することなく法面に配置したことを特徴とする、緑化用法面構造。
【請求項３】
複数配置した前記木製ネットの上面を網目材で覆うことを特徴とする、請求項１又は２記載の緑化用法面構造。
【請求項４】
前記木製ネットを構成する長尺木材の断面高さが５ｃｍ以下であることを特徴とする、請求項１乃至３のいずれかに記載の緑化用法面構造。
【請求項５】
前記木製ネットに袋体に充填した遅効性肥料を取り付けたことを特徴とする、請求項１乃至４のいずれかに記載の緑化用法面構造。
【発明の詳細な説明】
【０００１】
【発明の属する技術分野】
本発明は、法面に植生基盤材を配置して緑化をおこなう緑化用法面構造に関するものである。
【０００２】
【従来の技術】
従来から掘削した切土法面を緑化するために、斜面に客土などの植生基盤材を吹き付ける緑化用法面構造が構築されている。特に、岩盤法面やモルタル吹き付け法面のように急勾配で、植物が育成する土壌が法面にほとんど存在しない場合は、コンクリート製の法枠や、金網などを使用して製作した植生基盤材の保持部材を法面に配置し、植生基盤材をできるだけ厚く配置する工夫がなされている。
本願の出願人においても、法面にセメント系の法枠を構築する方法（特許文献１）、金網製の植生基盤保持枠を使用する構造（特許文献２）、間伐材を有効利用する方法（特許文献３及び４）など様々な発明をしている。
【０００３】
【特許文献１】
特開２００１−３２９５４３号公報
【特許文献２】
特開２００３−４１５９１号公報
【特許文献３】
特開２００２−３７１５６１号公報
【特許文献４】
特開２００３−４１５９４号公報
【０００４】
一方、シラス土壌の法面や、トンネルなどを構築するために地中を掘削して排出された排土からなる盛土法面などは、法面勾配が緩やかであっても、植物が育成するだけの有効な土壌成分が含まれておらず、植生基盤材を薄く吹き付けただけの簡易な植生工法では緑化することが難しい。このため、急勾配斜面と同様に断面の大きなコンクリート製の法枠や、高価な部材を使用して法面を緑化することになる。
【０００５】
【本発明が解決しようとする課題】
前記した従来の緑化用法面構造にあっては、次のような問題点がある。
＜イ＞特殊な部材で法枠を構築したり、断面の大きな法枠を構築したりすると、工事費が高くなる。
＜ロ＞法面を押さえる法枠や間伐材の間隔が広い場合は、その間に配置された植生基盤材が降雨、表流水、表層水又は凍結凍上作用によって侵食されることがある。また、金網のように線で保持する場合にも同様の問題が生じる場合がある。
＜ハ＞コンクリート、金網及び金属製の金具は、分解されない材料であり、法面が緑化された後も法面に残ることになる。
【０００６】
【本発明の目的】
本発明は上記したような従来の問題を解決するためになされたもので、法面に配置された植生基盤材の侵食を効果的に防止できる緑化用法面構造を提供することを目的とする。
また、安価な材料で簡単に構築できる緑化用法面構造を提供することを目的とする。
さらに、使用開始後に年月を経ることによって腐食化し、緑化された法面と一体になることができる緑化用法面構造を提供することを目的とする。
本発明は、これらの目的の少なくとも一つを達成するものである。
【０００７】
【課題を解決するための手段】
上記のような目的を達成するために、本発明の緑化用法面構造は、長尺木材を格子状に組み立てた木製ネットと、前記木製ネットを法面に固定するアンカーピンと、前記木製ネットの格子内部に充填する植生基盤材と、からなり、複数の前記木製ネットを剛結合することなく法面に配置したことを特徴とするものである。ここで、植生基盤材は木製ネットを被覆して覆土するように配置するのが好ましい。また、隣り合う複数の前記木製ネット同士を剛結合することなく法面に配置した構造とは、木製ネット間を連結せずに個々に独立させた構造や、木製ネット間を曲折可能に連結した構造をいう。
また、複数配置した前記木製ネットの上面を網目材で覆うこともできる。網目材は、木製ネットと同じアンカーピン、又は別途設置したアンカーピンで固定することができる。
さらに、前記木製ネットを構成する長尺木材の断面高さは５ｃｍ以下にすることが好ましい。例えば横断面が四角形の長尺木材を使用する場合は、一辺を５ｃｍ以下にすることが好ましい。
また、前記木製ネットに袋体に充填した遅効性肥料を取り付けることもできる。
【０００８】
【本発明の実施の形態】
以下、図面を参照しながら本発明の実施の形態について説明する。
【０００９】
＜イ＞木製ネット（図１）
木製ネット１は、棒状に製材した木製の長尺木材１１を複数本使用し、長尺木材１１，１１同士が交差するように組み立てたパネル状の部材である。
木製ネット１は、作業員が一人で法面５に運搬し、設置できる程度の大きさが好ましい。例えば、断面高さが５ｃｍ以下となるように製材した長尺木材１１を使用し、縦方向と横方向に３０〜５０ｃｍの間隔を置いて長尺木材１１を並べ、格子状に組み立てる。組み立てた木製ネット１の外形から算出される見かけの平面積は５ｍ２以下、好ましくは４ｍ２前後にする。例えば、木製ネット１の一辺の長さを２ｍ程度以下にすると運搬し易い。木製ネット１の製作は工場で行うことが適しているため、運搬し易い形状に成形するのが好ましい。
長尺木材１１，１１同士の交差部は、例えば互いに断面の半分ほどを切り欠いて組み合わせる組手に形成することができる。また、交差部は、釘やＬ型金具などの接合金具を使用して補強してもよい。なお、交差部の構造は以上に述べた構造に限定されるものではなく、公知の交差部の構造が採用できる。
また、長尺木材１１の横断面は、図１に示したような四角形に限定されるものではなく、三角形、多角形又は円形などの断面を有する長尺木材１１が使用できる。また、複数の長尺木材１１を組み立てた全体形状も、図１に示したような略四角形状に限定されるものではなく、三角形状や六角形状に成形することもできる。
【００１０】
製材した長尺木材１１で製作した木製ネット１は、水分を素早く吸収し取り込むことができるため、吸水性能及び保水性能に優れ、シラス土壌、荒廃地土壌又は土壌の無い法面５での植物の育成を助けることができる。また、木製ネット１は、施工後３年間程度は法枠としての機能を発揮し、小径の落石を防止する効果や法面５の侵食防止効果が期待できる。また、その後、徐々に腐食化して植物の栄養として変化してゆき、最後には土壌となって法面５と一体化する。
また、木製ネット１には、袋体に充填した遅効性肥料６を取り付けることができる（図５参照）。袋体には織布、不織布又はネットなどの透過性材料を使用することができる。遅効性肥料６は、木製ネット１を構成する長尺木材１１に沿うように取り付けたり（図５左右部）、長尺木材１１から紐などでぶら下げるように取り付けたり（図５中央部）することができる。
【００１１】
＜ロ＞連結部
本発明では、複数の木製ネット１を法面５上に並べて使用する。隣り合う木製ネット１，１同士は必ずしも連結する必要はない。連結しない場合は、木製ネット１に連結部１２を設ける必要はない。木製ネット１，１の端面間には隙間があってもよい。また、曲折可能に連結することもできる。木製ネット１自体は平板状で曲がらないため、木製ネット１，１間の連結を剛結合にした場合、連結した木製ネット１の枚数分の平面が形成される。これに対して法面５は、凹凸やうねりや曲面などがあり、完全な平面を形成できることはほとんど無い。このため、木製ネット１，１間を剛結合にした場合は法面５との間に隙間ができ、侵食の原因ともなる。そこで、木製ネット１，１間を連結しないか、または曲折可能に連結しておけば、１枚１枚は平らなパネルであってもそれほど面積が大きくないため、木製ネット１，１，・・・，１を法面５の形状に合わせて密着させることができる。
ここで、図４を参照しながら曲折可能な連結方法について例示する。例えば図４（ａ）は、長尺木材１１の長手方向の端部に凸状のほぞ１２ａと、凹状の穴１２ｂを形成して組み合わせた実施例である。連結部１２としてほぞ１２ａや穴１２ｂを使用する場合は、ほぞ１２ａよりも差し込まれる穴１２ｂの大きさを大きくしておく。こうすることで、穴１２ｂの遊びの中で、ほぞ１２ａは自由に移動することができ、結果として曲折可能な連結となる。
また、図４（ｂ）は、長尺木材１１の長手方向の端部に埋め込んだフック状の金具１２ｃと、フックを係合する金具１２ｄを組み合わせて、回動可能に連結する実施例である。このように回動可能に連結すれば、木製ネット１，１間は自由に折り曲げることができる。
さらに別の連結構造として、木製ネット１，１間をヒンジ結合した構造や、針金などの曲がり易い線材で連結した構造も採用できる。
【００１２】
以下、図面を参照しながら本発明の緑化用法面構造の構築方法について説明する。
【００１３】
＜イ＞木製ネットの設置
法面５上に木製ネット１を設置する。木製ネット１は、細い長尺木材１１を組み合わせて製作するため、軽量であり、法面５の設置位置まで人力で運ぶことができる。また、木製ネット１は工場で大量に製作することができるので、現場での施工の省力化に繋がる。
法面５に設置した木製ネット１は、アンカーピン２で法面５に固定する。アンカーピン２は法面５に打設して法面５上に設置した部材を固定する棒状部材であり、公知のものが使用できる。また、鉄筋やロックボルトや中空ボルトなどもアンカーピン２として使用できる。木製ネット１は軽量パネルであるため、アンカーピン２で数箇所留めるだけで固定することができる。
木製ネット１の左右方向又は上下方向の隣には木製ネット１を設置する（図２参照）。木製ネット同士１，１を連結させる場合は、連結部１２を介して曲折可能に連結させる。
【００１４】
＜ロ＞網目材の配置（図３）
木製ネット１を敷き並べた上面は、必要に応じて網目材３で覆う。網目材３は、植生基盤材４を後から木製ネット１の枠内に充填できる程度の網目を有するシート材で、金網、ラス網、エキスパンドメタルなどが使用できる。網目材３は木製ネット１を固定するために打設したアンカーピン２の頭部で固定することができる。この場合は、木製ネット１を固定するときは仮止めとし、網目材３を敷設した後に網目材３と木製ネット１を一緒に固定することができる。また、別途、網目材３を固定するためにアンカーピン２を打設することもできる。
網目材３を複数の木製ネット１，１，・・・，１に跨って覆うように配置することで、個々の木製ネット１，１，・・・，１を一体化することができる。すなわち、網目材３で木製ネット１，１，・・・，１を一度に法面５に押し付けることができるので、木製ネット１，１，・・・，１同士の一体感が増し、面的に法面５を保護することができる。また、網目材３には、吸水・乾燥などによって変形し易い木製ネット１の形状を拘束する効果もある。さらに、網目材３を配置することで植生基盤材４の保持機能も増すことが期待できる。
なお、網目材３は必須要件ではなく、例えば法面５の角度が４０度以下の緩やかな法面５においては省略することができる。
【００１５】
＜ハ＞植生基盤材の配置
植生基盤材４は、植物の生育に必要な材料をいい、客土、肥料、砂利、木質繊維、侵食防止剤やこれらを混合したもの等が該当する。植生基盤材４には種子を混合しておくことも出来る。
植生基盤材４は、吹付けホース４１で吹付けるなどして木製ネット１の枠内に充填する。木製ネット１の升目は、１辺が３０〜５０ｃｍと従来の法枠工法に比べて狭いため、充填された植生基盤材４を短い間隔で保持することができる。例えば、降雨や湧き水によって法面５に表流水が流下しても、短い間隔で長尺木材１１に衝突するため、流速が減衰し、配置された植生基盤材４の侵食を防ぐことができる。
また、植生基盤材４は、木製ネット１を被覆して覆い隠すように木製ネット１，１，・・・，１を設置した法面全体に配置するのが好ましい（図３参照）。このように植生基盤材４で木製ネット１，１，・・・，１を覆土することで、木製ネット１が法面に露出せず、法面５全体を緑化することができる。
【００１６】
【本発明の効果】
本発明の緑化用法面構造は、以上説明したようになるから次のような効果を得ることができる。
＜イ＞従来の法枠に比べて短い間隔で枠部材（長尺木材）が配置され、金網などの線材に比べて保持部材（長尺木材）の面積が広いため、法面に配置された植生基盤材の侵食を効果的に防止できる。
＜ロ＞使用する長尺木材は間伐材などから製作できるため、材料費が安価である。また、パネルを嵌めるようにして木製ネットを設置すればよいので、簡単に緑化用法面構造を構築できる。
＜ハ＞法面に設置した木製ネットは、時間の経過によって腐食化が進行し、最終的には緑化された法面と一体になることができる。
【図面の簡単な説明】
【図１】本発明で使用する木製ネットの実施例の斜視図。
【図２】本発明の緑化用法面構造の構築方法を示した実施例の説明図。
【図３】本発明の緑化用法面構造の実施例の断面図。
【図４】（ａ）木製ネットの連結部をほぞと穴で構成した実施例の拡大説明図。（ｂ）木製ネットの連結部をヒンジ結合とした実施例の拡大説明図。
【図５】遅効性肥料を取り付けた木製ネットの実施例の斜視図。
【符号の説明】
１・・・木製ネット
１１・・長尺木材
１２・・連結部
２・・・アンカーピン
３・・・網目材
４・・・植生基盤材
５・・・法面
６・・・遅効性肥料
【図１】
2004316352.tif 000003
【図２】
2004316352.tif 000004
【図３】
2004316352.tif 000005
【図４】
2004316352.tif 000006
【図５】
2004316352.tif 000007